(57)【特許請求の範囲】
【請求項１】
複数の表示電極を配列した前面基板と、前記表示電極に交差するように複数のアドレス電極を配列した背面基板とを、両基板間に放電空間が形成されるように対向配置し封着することで構成したプラズマディスプレイパネルであって、
前記背面基板の周辺部に前記アドレス電極のそれぞれを電気的に引き出した複数のアドレス電極引出端子を備え、
前記背面基板の長辺側の一方の周辺部に、２本おきに配置されたアドレス電極を引き出したアドレス電極引出端子により構成したアドレス電極端子部を設け、前記背面基板の長辺側の他方の周辺部に、前記２本おきに配置されたアドレス電極を除いたアドレス電極を引き出したアドレス電極引出端子により構成したアドレス電極端子部を設け、
前記アドレス電極引出端子どうしの間隔を、前記アドレス電極どうしの間隔よりも広く構成したことを特徴とするプラズマディスプレイパネル。
【請求項２】
前記アドレス電極をＲＧＢの３原色に対応させて配列し、
前記一方の周辺部に設けたアドレス電極引出端子は、それぞれが同じ色に対応したアドレス電極を引き出して構成したことを特徴とする請求項１記載のプラズマディスプレイパネル。
【発明の詳細な説明】
【技術分野】
【０００１】
本発明は、薄型ディスプレイ装置などに利用されるプラズマディスプレイパネルに関する。
【背景技術】
【０００２】
プラズマディスプレイパネル（以下、適宜、「パネル」と呼ぶ）は、前面基板と背面基板との一対のパネル基板を、両基板間に放電空間が形成されるように対向配置し、放電空間に希ガスを封入し、周辺部を封着した構成である。前面基板上には走査電極と維持電極とからなる表示電極が複数形成され、背面基板上には表示電極と交差する方向にアドレス電極が複数形成されている。さらに、これら表示電極とアドレス電極との立体交差部に、単位発光領域である放電セルが形成される。このように構成されたパネルの表示電極とアドレス電極とに所定の駆動電圧を印加して各放電セルで選択的に放電を発生させることで、各放電セルに形成された蛍光体層がこの放電によって発光し、これによってパネルから所望の画像が表示される。
【０００３】
また、パネルの各電極に所定の駆動電圧を印加するため、前面基板および背面基板において各電極に電気的に接続された電極引出線が、パネルの周辺部に複数個設けられた電極端子部まで引き出される。
【０００４】
図７は、従来のプラズマディスプレイパネルの電極端子部周辺の構成を示す図である（例えば、特許文献１参照）。図７に示すように、前面基板９２０と背面基板９３０とで構成されるパネル９００の周辺部には複数の電極端子部９０が設けられている。図７では、前面基板９２０に形成された複数の走査電極２２、同様に前面基板上に形成された複数の維持電極２３、および背面基板９３０上に形成された複数のアドレス電極３２のそれぞれが、電極引出線９２を介して各電極端子部９０まで引き出されたパネルの構成の一部を示している。さらに、図７では、図面において左側となるパネル周辺部に設けた各電極端子部９０から各走査電極２２に駆動電圧が印加され、図面において右側となるパネル周辺部に設けた各電極端子部９０（図示せず）から各維持電極２３に駆動電圧が印加され、シングルスキャン駆動と呼ばれる駆動手法（例えば、特許文献２参照）に基づき、図面において下側となるパネル周辺部に設けた各電極端子部９０から各アドレス電極３２に駆動電圧が印加されるような構成例を示している。
【０００５】
すなわち、図７に示すように、従来のパネル９００において、所定の本数を一つのブロックとして、その所定の本数分の電極から、図７に示すような電極引出部９３を構成するそれぞれの電極引出線９２が、各電極端子部９０に引き出される。各電極端子部９０は、このように各電極を電気的に引き出し、所定の間隔で配置された複数本の電極引出端子９１で構成される。図７では、要点を説明するため、１５本の電極引出端子９１で一つのブロックを構成するような例を挙げているが、通常、電極端子部９０は、１００本から２００本程度の電極引出端子９１を単位として一つのブロックを構成している。
【０００６】
電極端子部９０は、電極を駆動するための駆動回路と接続するために設けられており、この電極端子部９０と駆動回路との接続は、電極端子部９０の電極引出端子９１と同一ピッチで配置された端子を有するフレキシブル配線板８０を介して接続される。フレキシブル配線板８０は、ＦＰＣ（フレキシブル  プリント  サーキット）とも呼ばれ、例えば樹脂からなる絶縁フィルム間に銅箔などからなる複数本の配線パターンを挟み込むことにより構成され、電極引出端子９１と駆動回路の端子部とに接続される配線パターンを露出させた構成である。電極端子部９０とフレキシブル配線板８０とは、異方性を有する異方導電性接着剤を介してフレキシブル配線板８０を圧着することにより接続される。このとき、電極端子部９０とフレキシブル配線板８０とは、例えば位置合わせ用マーカ８１などを利用して位置合わせを行いながらそれぞれが接続される。
【０００７】
特に、このような位置合わせ用マーカ８１を設けるスペースを確保するため、従来、図７に示すように、電極引出部９３の形状を、電極側に比べて電極端子部９０側が狭くなるような台形形状とし、電極端子部９０における電極引出端子９１の各端子の間隔を各電極の間隔よりも狭くし、それによって位置合わせ用マーカ８１のスペースを確保していた。
【特許文献１】特開平１０−２８３９４０号公報
【特許文献２】特開２００４−９６３８７号公報
【発明の開示】
【発明が解決しようとする課題】
【０００８】
しかしながら、プラズマディスプレイ装置の高精細化を図る場合、パネルにおける単位面積あたりの放電セルの数を増加させることで可能となるが、放電セルの増加に伴って、電極数も増加し、その結果、電極引出端子の数も増加することとなり、例えば、一つの電極端子部における電極引出端子の数を増やすことが必要となる。一方、電極端子部においてこのような電極引出端子の高密度化を図ろうとすると、各端子の幅およびそれら間隔を狭くすることが必要となり、端子間のブリッジが生じやすくなったり、剥離しやすくなったり、電極端子部とフレキシブル配線板との接合における信頼性、すなわち接合品質が悪化したりするなどの課題があった。このように、上述したような従来のプラズマディスプレイパネルでは、所定のサイズのパネルにおいて、電極端子部の接合品質を維持しながら放電セルの数を増加させるには限界があった。
【０００９】
本発明は、上記課題を解決するためになされたもので、電極引出端子の接合品質の悪化を招くことなく、パネルあたりの電極引出端子の高密度化を図ったプラズマディスプレイパネルを提供することを目的とする。
【課題を解決するための手段】
【００１０】
上述したような課題を解決するために、本発明のプラズマディスプレイパネルは、複数の表示電極を配列した前面基板と、表示電極に交差するように複数のアドレス電極を配列した背面基板とを、両基板間に放電空間が形成されるように対向配置し封着することで構成したプラズマディスプレイパネルであって、背面基板の周辺部にアドレス電極のそれぞれを電気的に引き出した複数のアドレス電極引出端子を備え、背面基板の長辺側の一方の周辺部に、２本おきに配置されたアドレス電極を引き出したアドレス電極引出端子により構成したアドレス電極端子部を設け、背面基板の長辺側の他方の周辺部に、２本おきに配置されたアドレス電極を除いたアドレス電極を引き出したアドレス電極引出端子により構成したアドレス電極端子部を設け、アドレス電極引出端子どうしの間隔をアドレス電極どうしの間隔よりも広くした構成である。
【００１１】
また、本発明のプラズマディスプレイパネルは、アドレス電極をＲＧＢの３原色に対応させて配列し、一方の周辺部に設けたアドレス電極引出端子は、それぞれが同じ色に対応したアドレス電極を引き出して構成したものである。
【発明の効果】
【００１６】
本発明のプラズマディスプレイパネルによれば、背面基板の例えば上下端となるような背面基板の長辺側の両周辺部に複数のアドレス電極端子部を設けた構成であるため、従来例のような背面基板の下周辺部に複数のアドレス電極端子部を設けた構成に比べて、アドレス電極端子部の個数を増やすことができる。このため、例えば、高精細化を図るためアドレス電極の本数が増加したとしても、容易にアドレス電極端子の個数も増やすことができるとともに、アドレス電極端子の間隔や幅を狭くすることなく柔軟に設定することが可能となり、アドレス電極引出端子の各端子の間隔をアドレス電極の各電極の間隔よりも広くすることも可能となる。このように、本発明のプラズマディスプレイパネルは、所定のサイズのパネルにおいて、アドレス電極端子部における各端子の間隔や幅を狭くすることなく、パネルあたりの電極引出端子の数を増やすことが可能となり、これによって、電極引出端子の接合品質の悪化を招くことなく、パネルあたりの電極引出端子の高密度化を図ったプラズマディスプレイパネルを提供することができる。
【発明を実施するための最良の形態】
【００１７】
以下、本発明の実施の形態について図面を参照しながら詳細に説明する。
【００１８】
（実施の形態１）
図１は、本発明の実施の形態１におけるプラズマディスプレイパネルの分解斜視図である。本発明の実施の形態１におけるプラズマディスプレイパネルは、前面基板２０と背面基板３０とを対向配置して、その間に多数の放電セルを形成するように構成されている。前面基板２０におけるガラス製の前面パネル基板２１上には表示電極対を構成する走査電極２２と維持電極２３とが互いに平行に対をなして複数形成されている。そして、走査電極２２および維持電極２３を覆うように誘電体層２４が形成され、誘電体層２４上には保護層２５が形成されている。このようにして前面基板２０が構成される。
【００１９】
また、背面基板３０におけるガラス製の背面パネル基板３１上には、絶縁体層３３で覆われた複数のアドレス電極３２が設けられ、さらに、絶縁体層３３上に井桁状の隔壁３４が設けられている。また、絶縁体層３３の表面および隔壁３４の側面に蛍光体層３５が設けられている。このようにして背面基板３０が構成される。
【００２０】
そして、走査電極２２および維持電極２３とアドレス電極３２とが交差するように前面基板２０と背面基板３０とが対向配置されており、電極の交差するそれぞれの位置に放電セルが形成されている。放電セルには放電ガスとして、例えばネオンとキセノンの混合ガスが封入されている。なお、パネル１０の構造は上述したものに限られるわけではなく、例えば井桁状の隔壁３４のかわりにストライプ状の隔壁を備えたものであってもよい。このようにして、本発明の実施の形態１におけるプラズマディスプレイパネルであるパネル１０が構成される。
【００２１】
図２は、パネル１０における電極配列の概略を示した電極配列図である。行方向にｎ本の走査電極ＳＣＮ１〜ＳＣＮｎ（図１の走査電極２２）およびｎ本の維持電極ＳＵＳ１〜ＳＵＳｎ（図１の維持電極２３）が配列され、列方向にｍ本のアドレス電極ＤＤ１〜ＤＤｍ（図１のアドレス電極３２）が配列されている。また、走査電極ＳＣＮ１〜ＳＣＮｎおよび維持電極ＳＵＳ１〜ＳＵＳｎは、例えば図７で示した各電極と同様に、それぞれが所定の幅および間隔で配列されているとともに、アドレス電極ＤＤ１〜ＤＤｍもそれぞれが所定の幅および間隔で配列されている。そして、一対の走査電極ＳＣＮｉおよび維持電極ＳＵＳｉ（ｉ＝１〜ｎ）と一つのアドレス電極ＤＤｊ（ｊ＝１〜ｍ）とが交差した部分に放電セルが形成される。すなわち、放電空間内には放電セルがｍ×ｎ個形成されている。また放電セルは、ＲＧＢ３原色のいずれかの色に対応しており、隣接する赤色の放電セルと緑色の放電セルと青色の放電セルとにより一つの画素が構成される。
【００２２】
図３は、本実施の形態１におけるプラズマディスプレイパネルを用いたプラズマディスプレイ装置の構成例を示す図である。図３において、本実施の形態１におけるプラズマディスプレイパネルであるパネル１０を収容する筐体は、前面枠１２と金属製などのバックカバー１３とで構成され、前面枠１２の開口部には光学フィルターおよびパネル１０の保護を兼ねたガラスなどからなる前面カバー１４が配置されている。
【００２３】
パネル１０は、アルミニウムなどからなるシャーシ部材１５の前面に熱伝導シート１６を介して接着することにより保持される。そして、シャーシ部材１５の後面側には、パネル１０を表示駆動させるため駆動回路基板を含む複数の回路基板１７が取り付けられている。熱伝導シート１６は、パネル１０で発生した熱をシャーシ部材１５に効率よく伝え、放熱を行う。また、回路基板１７はパネル１０を表示駆動するための駆動回路やその制御などを行うための電気回路を備えている。さらに、駆動回路基板とパネル１０とは、シャーシ部材１５の四辺の周辺部を越えて延びる複数の上述したようなフレキシブル配線板（図示せず）によって接続される。
【００２４】
回路基板１７においては、パネル１０のそれぞれの電極を駆動するため、走査電極２２を駆動するための走査電極駆動回路、維持電極２３を駆動するための維持電極駆動回路およびアドレス電極３２を駆動するためのアドレス電極駆動回路を実装した駆動回路基板が具備されている。また、フレキシブル配線板は、パネル１０の例えば短辺側となる左右周辺部に引き出された走査電極ＳＣＮ１〜ＳＣＮｎおよび維持電極ＳＵＳ１〜ＳＵＳｎの電極引出端子で構成される電極端子部と、走査電極駆動回路および維持電極駆動回路に設けられた端子部とを接続する。さらに、フレキシブル配線板は、パネル１０の例えば長辺側となる上下周辺部に引き出されたアドレス電極ＤＤ１〜ＤＤｍの電極引出端子で構成される電極端子部とアドレス電極駆動回路に設けられた端子部とを接続する。このとき、フレキシブル配線板は、パネル１０の外周部を通して、前面側より背面側に１８０度湾曲させ、引き回して配置する。
【００２５】
また、シャーシ部材１５の後面には、回路基板１７を取り付けたり、バックカバー１３を固定したりするためのボス部１５ａがダイカストなどによる一体成型により突設されている。なお、このシャーシ部材１５は、アルミニウム平板に固定ピンを固定して構成してもよい。
【００２６】
次に、本実施の形態１におけるプラズマディスプレイパネルの特徴とする背面基板３０の構成について説明する。
【００２７】
図４は、本実施の形態１におけるプラズマディスプレイパネルの背面基板３０上に形成したアドレス電極およびその電極端子部などを含めた構成図である。図４（ａ）は、背面基板３０上の全体構成図であり、図４（ｂ）は、図４（ａ）における一つの電極端子部近辺の拡大図である。なお、図４において、煩雑さを避けるため、複数個ある構成要素について、全ての構成要素に符号を付すのは省略し、代表的な構成要素のみに符号を付している。
【００２８】
図２を用いて説明したように、図４（ａ）に示す背面基板３０上において、それぞれのアドレス電極３２は、それぞれが所定の幅および間隔で列方向に配置されている。さらに、各アドレス電極３２は、複数のフレキシブル配線板に分割してアドレス電極駆動回路と接続するため、例えば各フレキシブル配線板が備えた配線パターン数に対応した所定の本数ごとに区分されている。また、このように区分された所定の本数のアドレス電極３２は、その各アドレス電極３２に接続したアドレス電極引出線（以下、適宜、「引出線」と呼ぶ）４２を介して、その各引出線４２の延長上に配置した各アドレス電極引出端子（以下、適宜、「引出端子」と呼ぶ）４１に電気的に接続されている。このような所定の本数の引出端子４１で構成されるアドレス電極端子部（以下、適宜、「端子部」と呼ぶ）４０にフレキシブル配線板の端子を接続することで、アドレス電極駆動回路からの駆動信号がそれぞれのアドレス電極３２に供給される。特に、本実施の形態１におけるプラズマディスプレイパネルでは、このような端子部４０を、アドレス電極３２の長手方向の背面基板３０の長辺側である両周辺部に複数設けたことを特徴とする。このように、アドレス電極３２の長手方向の背面基板３０の長辺側の両周辺部に設けられ、かつ各アドレス電極３２を電気的に引き出した複数本の引出端子４１を有した端子部４０を、本実施の形態１におけるプラズマディスプレイパネルは備える。
【００２９】
以下、図４を参照しながら、このように構成された本実施の形態１におけるプラズマディスプレイパネルの背面基板３０上の詳細な構成について説明する。
【００３０】
上述したように、背面基板３０上において、各アドレス電極３２およびそれらに接続された各引出線４２と各引出端子４１とは、所定の本数ごとに区分される。すなわち、本実施の形態１では、所定の本数のアドレス電極３２およびそれらに接続された各引出線４２と各引出端子４１とにより、一つのブロックが構成されるようにブロック化されている。また、各ブロックは、図４（ｂ）に示すような構成である。
【００３１】
すなわち、図４（ｂ）に示すように、背面基板３０上において、所定の本数を一つのブロックとして、その所定の本数分のアドレス電極３２から、図４（ｂ）に示すようなアドレス電極引出部（以下、適宜、「引出部」と呼ぶ）４３を構成するそれぞれの引出線４２が、端子部４０に引き出される。端子部４０は、このように各アドレス電極３２を電気的に引き出し、所定の間隔で所定の本数分が配置された複数本の引出端子４１で構成される。図４（ｂ）でも、要点を説明するため、１５本のアドレス電極３２や引出端子４１で一つのブロックを構成するような例を挙げているが、通常、端子部４０は、１００本から２００本程度の引出端子４１を単位として一つのブロックを構成している。端子部４０は、上述したように、各アドレス電極３２を駆動するためのアドレス電極駆動回路と接続するための端子であり、この端子部４０とアドレス電極駆動回路とは、端子部４０の引出端子４１と同一ピッチで配置された端子を有するフレキシブル配線板を介して電気的に接続される。さらに、本実施の形態１では、アドレス電極３２と端子部４０とを接続する引出部４３を、図４（ｂ）に示すように、その形状が、アドレス電極３２側に比べて端子部４０側が広くなるような台形形状とし、それによって、端子部４０における引出端子４１の各端子の間隔ｔ４を各電極の間隔ｄよりも広くしている。
【００３２】
このように構成されたブロックが、背面基板３０上において複数形成されている。さらに、本実施の形態１では、図４（ａ）に一例を示すように、このように構成されたブロックを、端子部４０を背面基板３０の上周辺部に設けた上端子ブロック４８と端子部４０を背面基板３０の下周辺部に設けた下端子ブロック４９とに区分し、上端子ブロック４８と下端子ブロック４９とをそれぞれ交互に配置している。すなわち、図４（ａ）では、図面の左側において上端子ブロック４８を設け、次の右隣に下端子ブロック４９を設け、次の右隣に上端子ブロック４８を設けるというように、それぞれが交互となるように９個のブロックを配置した一例を示している。このように、本実施の形態１のプラズマディスプレイパネルは、端子部４０を、背面基板３０の長辺側の一方の周辺部である上周辺部と他方の周辺部である下周辺部とに交互に配置した構成としている。
【００３３】
以上説明したように、本実施の形態１におけるプラズマディスプレイパネルは、背面基板３０において、図４で示すような構成の各ブロックを形成している。すなわち、背面基板３０において、端子部４０を、背面基板３０の長辺側の一方の周辺部である上周辺部と他方の周辺部である下周辺部とに交互に配置した構成としているため、背面基板３０の下周辺部のみに複数の端子部を設けたような構成に比べて、端子部４０の幅を柔軟に設定できる。このため、例えば、高精細化を図るためアドレス電極３２の本数が増加し、アドレス電極３２の間隔が狭くなったとしても、図４（ｂ）で示した引出部４３のように、引出部４３の形状をアドレス電極３２側に比べて端子部４０側が広くなるような台形形状とすることで、アドレス電極３２の間隔に影響されず端子部４０の各引出端子４１の間隔を柔軟に設定できる。すなわち、背面基板３０の周辺部においては、端子部４０が一つずつ間引かれるように配置されるため、端子部４０の幅を柔軟に設定でき、その結果、引出端子４１の各端子の間隔をアドレス電極３２の各電極の間隔よりも広くすることも可能となる。
【００３４】
よって、本発明の実施の形態１におけるプラズマディスプレイパネルによれば、所定のサイズのパネルにおいて、アドレス電極端子部における各電極引出端子の間隔や幅を狭くすることなく、パネルあたりの電極引出端子の数を増やすことが可能となり、これによって、電極引出端子の接合品質の悪化を招くことなく、パネルあたりの電極引出端子の高密度化を図ったプラズマディスプレイパネルを提供することができる。
【００３５】
（実施の形態２）
図５は、本発明の実施の形態２におけるプラズマディスプレイパネルの背面基板３０上に形成したアドレス電極およびその電極端子部などを含めた構成図である。図５（ａ）は、背面基板３０上の全体構成図であり、図５（ｂ）は、図５（ａ）における上下端に設けた電極端子部近辺の拡大図である。なお、図５においても、煩雑さを避けるため、複数個ある構成要素について、全ての構成要素に符号を付すのは省略し、代表的な構成要素のみに符号を付している。また、本実施の形態２におけるプラズマディスプレイパネルの基本的な構成は実施の形態１と同様であるためその説明は省略し、本実施の形態２の特徴とする背面基板３０上に形成されたアドレス電極およびその電極端子部などを含めた構成を中心に説明する。
【００３６】
本実施の形態２におけるプラズマディスプレイパネルは、実施の形態１と同様に、図５（ａ）に示す背面基板３０上において、それぞれのアドレス電極３２は、それぞれが所定の幅および間隔で配置されている。さらに、各アドレス電極３２は、複数のフレキシブル配線板に分割して接続するため、例えば各フレキシブル配線板が備えた配線パターン数に対応した所定の本数ごとに区分されている。また、このように区分された所定の本数のアドレス電極３２は、その各アドレス電極３２に接続したアドレス電極引出線（以下、適宜、「引出線」と呼ぶ）５２を介して、その各引出線５２の延長上に配置した各アドレス電極引出端子（以下、適宜、「引出端子」と呼ぶ）５１に電気的に接続されている。このような所定の本数の引出端子５１で構成されるアドレス電極端子部（以下、適宜、「端子部」と呼ぶ）５０にフレキシブル配線板の端子を接続することで、実施の形態１と同様に、アドレス電極駆動回路からの駆動信号がそれぞれのアドレス電極３２に供給される。本実施の形態２におけるプラズマディスプレイパネルでも、このような端子部５０を、アドレス電極３２の長手方向の背面基板３０の長辺側である両周辺部に複数設けている。このように、アドレス電極３２の長手方向の背面基板３０の長辺側の両周辺部に設けられ、かつ各アドレス電極３２を電気的に引き出した複数本の引出端子５１を有した端子部５０を、本実施の形態２におけるプラズマディスプレイパネルは備える。
【００３７】
このように、背面基板３０上において、各アドレス電極３２およびそれらに接続された各引出線５２と各引出端子５１とは、所定の本数ごとに区分される。すなわち、本実施の形態２では、所定の本数のアドレス電極３２およびそれらに接続された各引出線５２と各引出端子５１とで一つのブロックが構成されるようにブロック化されている。また、図５（ａ）に示すように、このように構成されたブロック５９は、背面基板３０上において複数形成されている。すなわち、図５（ａ）では、背面基板３０上において、９個のブロック５９を配置した一例を示している。
【００３８】
また、各ブロック５９は、図５（ｂ）に示すような構成である。すなわち、図５（ｂ）に示すように、背面基板３０上において、所定の本数のアドレス電極３２を一つのブロックとして、その所定の本数分のアドレス電極３２から、図５（ｂ）に示すようなアドレス電極引出部（以下、適宜、「引出部」と呼ぶ）５３を構成するそれぞれの引出線５２が、端子部５０に引き出される。特に、本実施の形態２では、図５（ｂ）に示すように、ブロック５９において、上下端それぞれに端子部５０を設けた構成であり、一方の周辺部に設けた端子部５０には、一定の本数として一本おきに間引きながらアドレス電極３２が引出線５２を介して引出端子５１に引き出され、他方の周辺部に設けた端子部５０には、間引かれたアドレス電極３２が引出線５２を介して引出端子５１に引き出されるような構成である。
【００３９】
ブロック５９における各端子部５０は、このように各アドレス電極３２を一本おきに間引いて電気的に引き出し、所定の間隔で所定の本数分が配置された複数本の引出端子５１で構成される。図５（ｂ）でも、要点を説明するため、１４本のアドレス電極３２やその半分の本数の引出端子５１で構成される両端子部５０で、ブロック５９を構成するような例を挙げているが、通常、端子部５０は、１００本から２００本程度の引出端子５１を単位として一つのブロックを構成している。また、端子部５０は、上述したように、各アドレス電極３２を駆動するためのアドレス電極駆動回路と接続するための端子であり、この端子部５０とアドレス電極駆動回路とは、端子部５０の引出端子５１と同一ピッチで配置された端子を有するフレキシブル配線板を介して電気的に接続される。本実施の形態２では、ブロック５９をこのような構成とすることにより、端子部５０における引出端子５１の各端子の間隔ｔ５を各電極の間隔ｄよりも広くしている。
【００４０】
なお、引出端子５１の間隔ｔ５が各電極の間隔ｄよりも広くなる範囲において、アドレス電極３２と端子部５０とを接続する引出部５３を、実施の形態１とは逆に、その形状をアドレス電極３２側に比べて端子部５０側が狭くなるような台形形状とするような構成であってもよい。すなわち、図５（ｂ）の場合は間隔ｔ５が間隔ｄの２倍となるが、例えば、間隔ｔ５を間隔ｄの１．５倍とするような構成であってもよい。
【００４１】
以上説明したように、本実施の形態２におけるプラズマディスプレイパネルは、背面基板３０において、図５で示すような構成の各ブロックを形成している。すなわち、背面基板３０において、端子部５０を、背面基板３０の長辺側の一方の周辺部である上周辺部と他方の周辺部である下周辺部とに配置した構成としているため、背面基板の下周辺部のみに複数の端子部を設けたような構成に比べて、引出端子５１の間隔を柔軟に設定できる。このため、例えば、高精細化を図るためアドレス電極３２の本数が増加し、アドレス電極３２の間隔が狭くなったとしても、図５（ｂ）で示したように、端子部５０には、一定の本数おきに間引きながらアドレス電極３２が引出線５２を介して引出端子５１に引き出されるような構成であるため、アドレス電極３２の間隔に影響されず端子部５０の各引出端子５１の間隔を柔軟に設定でき、その結果、引出端子５１の各端子の間隔をアドレス電極の各電極の間隔よりも広くできる。
【００４２】
よって、本発明の実施の形態２におけるプラズマディスプレイパネルによっても、所定のサイズのパネルにおいて、アドレス電極端子部における各電極引出端子の間隔や幅を狭くすることなく、パネルあたりの電極引出端子の数を増やすことが可能となり、これによって、電極引出端子の接合品質の悪化を招くことなく、パネルあたりの電極引出端子の高密度化を図ったプラズマディスプレイパネルを提供することができる。
【００４３】
（実施の形態３）
図６は、本発明の実施の形態３におけるプラズマディスプレイパネルの背面基板３０上に形成したアドレス電極およびその電極端子部などを含めた構成図である。図６（ａ）は、背面基板３０上の全体構成図であり、図６（ｂ）は、図６（ａ）における上下端に設けた電極端子部近辺の拡大図である。なお、図６においても、煩雑さを避けるため、複数個ある構成要素について、全ての構成要素に符号を付すのは省略し、代表的な構成要素のみに符号を付している。また、本実施の形態３におけるプラズマディスプレイパネルの基本的な構成は実施の形態１や実施の形態２と同様であるためその説明は省略し、本実施の形態３の特徴とする背面基板３０上に形成されたアドレス電極およびその電極端子部などを含めた構成を中心に説明する。
【００４４】
本実施の形態３におけるプラズマディスプレイパネルは、実施の形態１や実施の形態２と同様に、図６（ａ）に示す背面基板３０上において、それぞれのアドレス電極３２は、それぞれが所定の幅および間隔で配置されている。さらに、各アドレス電極３２は、複数のフレキシブル配線板に分割して接続するため、例えば各フレキシブル配線板が備えた配線パターン数に対応した所定の本数ごとに区分されている。すなわち、本実施の形態３においても、図６（ａ）に示すように、背面基板３０上において、各アドレス電極３２およびそれらに接続された各アドレス電極引出線と各アドレス電極引出端子とが、所定の本数ごとにブロック６９として区分され、背面基板３０上には、このようなブロック６９が複数構成されている。図６（ａ）では、背面基板３０上において、９個のブロック６９を配置した一例を示している。
【００４５】
また、特に、本実施の形態３におけるプラズマディスプレイパネルでは、それぞれが３原色のいずれかに対応するアドレス電極３２に対して、少なくとも３原色のうちの一つの同じ色に対応したアドレス電極３２を、上述したようなアドレス電極端子部に引き出していることを特徴とする。すなわち、アドレス電極３２は、例えば赤Ｒ、緑Ｇ、青Ｂの順番に３原色のいずれかに対応しており、図６（ａ）に示すように、ブロック６９において、各アドレス電極３２に対し、例えば赤Ｒとするような一つの色に対応したアドレス電極３２を、アドレス電極引出線（以下、適宜、「引出線」と呼ぶ）６２を介して上周辺部のアドレス電極引出端子（以下、適宜、「引出端子」と呼ぶ）６１で構成されたアドレス電極端子部（以下、適宜、「端子部」と呼ぶ）６０に引き出している。また、残りの緑Ｇおよび青Ｂに対応したアドレス電極３２については、引出線６６を介して下周辺部の引出端子６５で構成された端子部６４に引き出している。本実施の形態３では、赤Ｒに対応したアドレス電極３２を上周辺部の端子部６０に引き出した例を挙げて説明する。
【００４６】
以下、図６を参照しながら、このように構成された本実施の形態３におけるプラズマディスプレイパネルの背面基板３０上の詳細な構成について説明する。
【００４７】
上述したように、ブロック区分された所定の本数のアドレス電極３２は、ブロック内においてもそのアドレス電極３２が対応する色ごとに区分されている。すなわち、図６（ｂ）に示すように、赤Ｒに対応したアドレス電極３２は、その各アドレス電極３２に接続したアドレス電極引出部（以下、適宜、「引出部」と呼ぶ）６３を構成する引出線６２を介して、その各引出線６２の延長上である背面基板３０の上周辺部に配置した各引出端子６１に電気的に接続されている。また、本実施の形態３では、背面基板３０の上周辺部において、緑Ｇおよび青Ｂに対応したアドレス電極３２からの引出線を間引き、赤Ｒに対応したアドレス電極３２と引出端子６１とを接続するような構成とし、これによって、端子部６０における引出端子６１の各端子の間隔を各アドレス電極３２の間隔よりも広くしている。このような所定の本数の引出端子６１で構成される端子部６０にフレキシブル配線板の端子を接続することで、アドレス電極駆動回路からの駆動信号がそれぞれの赤Ｒに対応したアドレス電極３２に供給される。
【００４８】
また、図６（ｂ）において、緑Ｇおよび青Ｂに対応したアドレス電極３２は、その各アドレス電極３２に接続した引出部６７を構成する引出線６６を介して、その各引出線６６の延長上に配置した各引出端子６５に電気的に接続されている。また、本実施の形態３では、緑Ｇおよび青Ｂに対応した各アドレス電極３２と端子部６４とを接続する引出部６７を、図６（ｂ）に示すような形状とし、それによって、端子部６４における引出端子６５の各端子の間隔を各アドレス電極３２の間隔よりも広くしている。このような所定の本数の引出端子６５で構成される端子部６４にフレキシブル配線板の端子を接続することで、アドレス電極駆動回路からの駆動信号がそれぞれの緑Ｇおよび青Ｂに対応したアドレス電極３２に供給される。
【００４９】
このように、本実施の形態３におけるプラズマディスプレイパネルでは、ブロック６９において、引出端子６１の各端子の間隔をアドレス電極３２の各電極の間隔よりも広くした端子部６０、および引出端子６５の各端子の間隔をアドレス電極３２の各電極の間隔よりも広くした端子部６４の２種類の端子部を設けている。さらに、上周辺部に設けた端子部６０には、２本おきに配置されたアドレス電極３２（図６では赤Ｒに対応するアドレス電極３２）が引き出され、下周辺部に設けた端子部６４には、その２本おきに配置されたアドレス電極３２を除いたアドレス電極３２（図６では緑Ｇおよび青Ｂに対応するアドレス電極３２）が引き出されている。本実施の形態３におけるプラズマディスプレイパネルは、このようなブロック６９が背面基板３０上に複数配置された構成であるため、背面基板３０の上周辺部に赤Ｒに対応した端子部６０が配置され、下周辺部に緑Ｇおよび青Ｂに対応した端子部６４が配置される。
【００５０】
以上説明したように、本実施の形態３におけるプラズマディスプレイパネルは、背面基板３０において、図６で示すような構成の各ブロックを形成している。すなわち、背面基板３０において、背面基板３０の長辺側の一方の周辺部である上周辺部に端子部６０を配置し、他方の周辺部である下周辺部に端子部６４を配置した構成としているため、背面基板の下周辺部のみに複数の端子部を設けたような構成に比べて、引出端子６１や引出端子６５の間隔を柔軟に設定できる。
【００５１】
このため、例えば、高精細化を図るためアドレス電極３２の本数が増加し、アドレス電極３２の間隔が狭くなったとしても、図６（ｂ）で示したように、それぞれの端子部には、一定の本数おきに間引きながらアドレス電極３２が引出線を介して引出端子に引き出されるような構成であるため、アドレス電極３２の間隔に影響されず端子部の各引出端子の間隔を柔軟に設定でき、その結果、引出端子の各端子の間隔をアドレス電極の各電極の間隔よりも広くできる。
【００５２】
さらに、本実施の形態３におけるプラズマディスプレイパネルは、背面基板３０の一方の周辺部に３原色のうちの一つの同じ色に対応した端子部を配置し、他方の周辺部にその他の色に対応した端子部を配置した構成であるため、フレキシブル配線板を介してＲＧＢ３原色に区分されるようなアドレス電極駆動回路と接続するような場合、容易に色ごとの接続ができることとなり、例えば、製造工程におけるフレキシブル配線板の接続工程の時間短縮などの効率化を図ることが可能となる。
【００５３】
よって、本発明の実施の形態３におけるプラズマディスプレイパネルによっても、所定のサイズのパネルにおいて、アドレス電極端子部における各電極引出端子の間隔や幅を狭くすることなく、パネルあたりの電極引出端子の数を増やすことが可能となり、これによって、電極引出端子の接合品質の悪化を招くことなく、パネルあたりの電極引出端子の高密度化を図るとともに、効率よいフレキシブル配線板の接続を図ったプラズマディスプレイパネルを提供することができる。
【００５４】
なお、実施の形態３において、赤Ｒに対応したアドレス電極３２を上周辺部の端子部６０に引き出した例を挙げて説明したが、緑Ｇあるいは青Ｂに対応したアドレス電極３２を上周辺部の端子部６０に引き出し、それ以外の色に対応したアドレス電極３２を下周辺部の端子部６４に引き出すような構成であってもよい。また、赤Ｒ、緑Ｇあるいは青Ｂのいずれかに対応したアドレス電極３２を下周辺部の端子部６４に引き出し、それ以外の色に対応したアドレス電極３２を上周辺部の端子部６０に引き出すような構成であってもよい。
【産業上の利用可能性】
【００５５】
本発明のプラズマディスプレイ装置は、電極引出端子の接合品質の悪化を招くことなく、電極引出端子の高密度化を図ることができるので、プラズマディスプレイパネルなどのパネルを使用した表示装置などに有用である。
【図面の簡単な説明】
【００５６】
【図１】本発明の実施の形態１におけるプラズマディスプレイパネルの分解斜視図
【図２】同プラズマディスプレイパネルの電極配列図
【図３】同プラズマディスプレイパネルを用いたプラズマディスプレイ装置の構成例を示す図
【図４】同プラズマディスプレイパネルの背面基板上に形成したアドレス電極およびその電極端子部などを含めた構成図
【図５】本発明の実施の形態２におけるプラズマディスプレイパネルの背面基板上に形成したアドレス電極およびその電極端子部などを含めた構成図
【図６】本発明の実施の形態３におけるプラズマディスプレイパネルの背面基板上に形成したアドレス電極およびその電極端子部などを含めた構成図
【図７】従来のプラズマディスプレイパネルの電極端子部周辺の構成を示す図
【符号の説明】
【００５７】
１０，９００    プラズマディスプレイパネル（パネル）
１２    前面枠
１３    バックカバー
１４    前面カバー
１５    シャーシ部材
１５ａ    ボス部
１６    熱伝導シート
１７    回路基板
２０，９２０    前面基板
２１    前面パネル基板
２２    走査電極
２３    維持電極
２４    誘電体層
２５    保護層
３０，９３０    背面基板
３１    背面パネル基板
３２    アドレス電極
３３    絶縁体層
３４    隔壁
３５    蛍光体層
４０，５０，６０，６４    アドレス電極端子部（端子部）
４１，５１，６１，６５    アドレス電極引出端子（引出端子）
４２，５２，６２，６６    アドレス電極引出線（引出線）
４３，５３，６３，６７    アドレス電極引出部（引出部）
４８    上端子ブロック
４９    下端子ブロック
５９，６９    ブロック
８０    フレキシブル配線板
８１    位置合わせ用マーカ
９０    電極端子部
９１    電極引出端子
９２    電極引出線
９３    電極引出部
【図１】
0004816203.tif 000002
【図２】
0004816203.tif 000003
【図３】
0004816203.tif 000004
【図４】
0004816203.tif 000005
【図５】
0004816203.tif 000006
【図６】
0004816203.tif 000007
【図７】
0004816203.tif 000008